(57)【要約】【課題】Ｗｅｂブラウザに表示された画面に対する、ユーザによる情報入力の手間を軽減するとともに、ユーザによる情報入力の手間を軽減する対象となるページをＷｅｂアプリケーションが指定可能にする仕組みを提供する。 【解決手段】本情報処理装置は、Ｗｅｂサーバに画面情報を要求し、取得した画面情報をロードするとともに、該画面情報に含まれる第１スクリプトを実行するＷｅｂブラウザと、Ｗｅｂブラウザによる画面情報のロードが完了したか否かを監視するとともに、情報処理装置を現在使用しているユーザがオートコンプリート機能を許可されているユーザであれば、Ｗｅｂブラウザに対して、第２スクリプトをロードして実行するように指示する監視部を備える。【選択図】  図９
2015125620.tif 000002
【特許請求の範囲】
【請求項１】
画面情報を提供するＷｅｂサーバと、特定の画面情報に含まれるフォームの種類毎に入力すべき値を含むフォームデータを定義したテーブルを有する管理サーバと、通信可能な情報処理装置であって、
前記Ｗｅｂサーバに前記画面情報を要求し、取得した画面情報をロードするとともに、該画面情報に含まれる第１スクリプトを実行するＷｅｂブラウザと、
前記Ｗｅｂブラウザによる画面情報のロードが完了したか否かを監視するとともに、前記情報処理装置を現在使用しているユーザがオートコンプリート機能を許可されているユーザであれば、前記Ｗｅｂブラウザに対して、第２スクリプトをロードして実行するように指示する監視手段と
を備え、
前記Ｗｅｂブラウザは、
前記第１スクリプトを実行することによって、前記画面情報のロードが完了したことを前記監視手段に通知し、
前記第２スクリプトを実行することによって、前記情報処理装置を現在使用しているユーザ及び前記画面情報に従ったフォームデータを前記管理サーバから取得し、前記画面情報及び前記フォームデータの前記入力すべき値を反映した画面を表示部に表示することを特徴とする情報処理装置。
【請求項２】
前記Ｗｅｂブラウザは、
前記オートコンプリート機能を実行したフォームにユーザが新たなに情報を入力すると、対応するフォームデータの更新を前記管理サーバへ指示することを特徴とする請求項１に記載の情報処理装置。
【請求項３】
前記Ｗｅｂサーバは、前記画面情報に前記第１スクリプトを埋め込むか否かを決定することを特徴とする請求項１又は２に記載の情報処理装置。
【請求項４】
前記監視手段は、前記第２スクリプトを予め保持していることを特徴とする請求項１乃至３の何れか１項に記載の情報処理装置。
【請求項５】
前記画面情報は、ユーザ認証のための情報入力を行う画面であり、
前記オートコンプリート機能の対象となるフォームは、ユーザ名を入力するフォーム、及びパスワードを入力するフォームの少なくとも１つであることを特徴とする請求項１乃至４の何れか１項に記載の情報処理装置。
【請求項６】
前記Ｗｅｂブラウザは、
前記オートコンプリート機能を利用したユーザ認証が認証エラーであった場合に、ユーザにユーザ名及びパスワードの入力を促す画面を表示部に表示し、
前記入力されたユーザ名及びパスワードで認証が成功すると、対応するフォームデータの更新を前記管理サーバへ指示することを特徴とする請求項５に記載の情報処理装置。
【請求項７】
前記監視手段は、
ユーザごとにオートコンプリート機能の利用が許可されているか否かを示す情報を管理しており、該情報に従って、前記情報処理装置を現在使用しているユーザがオートコンプリート機能を許可されている否かを判定することを特徴とする請求項１乃至６の何れか１項に記載の情報処理装置。
【請求項８】
前記第１スクリプト及び前記第２スクリプトは、Ｊａｖａスクリプトであることを特徴とする請求項１乃至７の何れか１項に記載の情報処理装置。
【請求項９】
情報処理システムであって、
画面情報を提供するＷｅｂサーバと、
前記Ｗｅｂサーバから画面情報を取得して表示する情報処理装置と、
特定の画面情報に含まれるフォームの種類毎に入力すべき値を含むフォームデータを定義したテーブルを有する管理サーバと
を含み、
前記情報処理装置は、
前記Ｗｅｂサーバに前記画面情報を要求し、取得した画面情報をロードするとともに、該画面情報に含まれる第１スクリプトを実行するＷｅｂブラウザと、
前記Ｗｅｂブラウザによる画面情報のロードが完了したか否かを監視するとともに、前記情報処理装置を現在使用しているユーザがオートコンプリート機能を許可されているユーザであれば、前記Ｗｅｂブラウザに対して、第２スクリプトをロードして実行するように指示する監視手段と
を備え、
前記Ｗｅｂサーバは、
前記Ｗｅｂブラウザからの要求に応じて前記画面情報を応答する応答手段を備え、
前記Ｗｅｂブラウザは、
前記第１スクリプトを実行することによって、前記画面情報のロードが完了したことを前記監視手段に通知し、
前記第２スクリプトを実行することによって、前記情報処理装置を現在使用しているユーザ及び前記画面情報に従ったフォームデータを前記管理サーバから取得し、前記画面情報及び前記フォームデータの前記入力すべき値を反映した画面を表示部に表示することを特徴とする情報処理システム。
【請求項１０】
画面情報を提供するＷｅｂサーバと、特定の画面情報に含まれるフォームの種類毎に入力すべき値を含むフォームデータを定義したテーブルを有する管理サーバと、通信可能な情報処理装置の制御方法であって、
Ｗｅｂブラウザが、前記Ｗｅｂサーバに前記画面情報を要求し、取得した画面情報をロードするとともに、該画面情報に含まれる第１スクリプトを実行して、前記画面情報のロードが完了したことを通知する工程と、
監視手段が、前記Ｗｅｂブラウザからの通知に応じて、該Ｗｅｂブラウザによる画面情報のロードが完了したか否かを監視するとともに、前記情報処理装置を現在使用しているユーザがオートコンプリート機能を許可されているユーザであれば、前記Ｗｅｂブラウザに対して、第２スクリプトをロードして実行するように指示する監視工程と、
前記Ｗｅｂブラウザが、前記第２スクリプトを実行することによって、前記情報処理装置を現在使用しているユーザ及び前記画面情報に従ったフォームデータを前記管理サーバから取得し、前記画面情報及び前記フォームデータの前記入力すべき値を反映した画面を表示部に表示する工程と
を実行することを特徴とする情報処理装置の制御方法。
【請求項１１】
請求項１乃至８の何れか１項に記載の情報処理装置としてコンピュータを機能させるための該コンピュータで読み取り可能なプログラム。
【発明の詳細な説明】
【技術分野】
【０００１】
本発明は、Ｗｅｂサーバから画面データを受信し、当該画面データに基づいて画面を表示するＷｅｂブラウザを備える情報処理装置、その制御方法、プログラム、及び情報処理システムに関する。
【背景技術】
【０００２】
ＰＣなどの情報処理装置がＷｅｂブラウザを備え、ネットワーク上のＷｅｂサーバにより提供される画面データ（例えば、ＨＴＭＬ（ＨｙｐｅｒＴｅｘｔ Ｍａｒｋｕｐ Ｌａｎｇｕａｇｅ）データ）に基づいて画面を表示することが知られている。情報処理装置のＷｅｂブラウザに表示される画面には、Ｗｅｂサーバが有するＷｅｂアプリケーションを操作するための操作画面が含まれる。
【０００３】
既存のＷｅｂアプリケーションには、Ｗｅｂアプリケーションを使用するユーザを認証する機能を有するものがある。そのようなＷｅｂアプリケーションを使用する場合は、最初に、ユーザ情報を入力するためのフォームを含むＨＴＭＬデータがＷｅｂアプリケーションからＷｅｂブラウザに提供される。Ｗｅｂブラウザは、受信したＨＴＭＬデータに基づく画面を表示する。ユーザが表示された画面を介してユーザ名やパスワード等のユーザ情報を入力すると、Ｗｅｂブラウザは、Ｗｅｂアプリケーションにフォーム内容（入力済みのユーザ情報）を送信し、Ｗｅｂアプリケーション側でユーザ認証が行われる。
【０００４】
Ｗｅｂブラウザに表示される画面にユーザ情報を入力する際の手間を軽減するための技術として、例えば特許文献１や特許文献２が知られている。特許文献１には、ユーザが複数のＷｅｂアプリケーションを使用する環境の場合に、Ｗｅｂアプリケーション毎に異なるユーザ情報を全て記憶すべく、シングルサインオンを実現することが記載されている。具体的に、特許文献１では、ＷｅｂブラウザがＷｅｂアプリケーションの画面を表示している状態で、ブックマークとして保持されているスクリプトをユーザが選択すると、スクリプトの定義に従って認証装置へのアクセスが実行される。そして、アクセス先の認証装置によってユーザが認証されたことを条件として、Ｗｅｂアプリケーションの使用が許可される。これにより、ユーザは、Ｗｅｂアプリケーション毎に異なるユーザ情報を全て記憶しておく必要がなくなる。
【０００５】
特許文献２では、Ｗｅｂブラウザに表示された画面に対して、ユーザ情報を入力する際に、特定の画面に対して外部装置に格納されているユーザ情報を取得するためのスクリプトを実行している。これにより、ユーザは、ユーザ情報を入力する手間を軽減することができる。
【先行技術文献】
【特許文献】
【０００６】
【特許文献１】特開２００７−２５７５００号公報
【特許文献２】特開２０１２−１８５６５１号公報
【発明の概要】
【発明が解決しようとする課題】
【０００７】
しかしながら、上記従来技術には以下に記載する問題がある。例えば、Ｗｅｂアプリケーションによるユーザ認証のために、Ｗｅｂブラウザに表示される画面にユーザ情報を入力する場合、ユーザは、Ｗｅｂアプリケーションを使用する毎に繰り返しユーザ情報を入力しなければならない。これに対して、ユーザが一度入力したユーザ情報を、ユーザ毎に区別してＷｅｂブラウザ内に保持しておき、Ｗｅｂブラウザで画面を表示する際に、保持しておいたユーザ情報を画面内に自動的に設定すること（オートコンプリート）が知られている。
【０００８】
しかし、従来の方法でオートコンプリートを実現するためには、全ユーザに対応する情報をＷｅｂブラウザ内に保持する必要があり、情報処理装置のメモリリソースを浪費してしまうという問題がある。また、同一のユーザが複数の情報処理装置を使用する環境では、それぞれの情報処理装置のＷｅｂブラウザに自分のユーザ情報を保持させておかなければならないという問題もある。
【０００９】
特許文献１では、Ｗｅｂアプリケーションを使用する毎に繰り返しユーザ情報を入力しなければならない。また、ブックマークとして保持されているスクリプトをユーザが手動で選択するための余計な手間がかかってしまう。特許文献２では、特定のページに対してはユーザ情報を取得するためのスクリプトを実行することができる。しかしながら、この方法では、ユーザがオートコンプリートを適用させたいページの情報を事前に登録しておく必要があり、ユーザの手間が増えてしまう。また、手間を省くために、すべてのページを適用させたいページとして登録してしまうと、各ページを表示するたびにスクリプトを実行する処理が発生してしまい、システム全体へのパフォーマンスに影響が出てしまうという課題がある。また、ユーザが入力したユーザ情報に誤りがあった場合に表示されるエラー画面など、想定外の画面遷移が発生した場合には、オートコンプリートを提供することができない、といった課題がある。
【００１０】
本発明は、上述の問題に鑑みて成されたものであり、Ｗｅｂブラウザに表示された画面に対する、ユーザによる情報入力の手間を軽減するとともに、ユーザによる情報入力の手間を軽減する対象となるページをＷｅｂアプリケーションが指定可能にする仕組みを提供することを目的とする。
【課題を解決するための手段】
【００１１】
本発明は、画面情報を提供するＷｅｂサーバと、特定の画面情報に含まれるフォームの種類毎に入力すべき値を含むフォームデータを定義したテーブルを有する管理サーバと、通信可能な情報処理装置であって、前記Ｗｅｂサーバに前記画面情報を要求し、取得した画面情報をロードするとともに、該画面情報に含まれる第１スクリプトを実行するＷｅｂブラウザと、前記Ｗｅｂブラウザによる画面情報のロードが完了したか否かを監視するとともに、前記情報処理装置を現在使用しているユーザがオートコンプリート機能を許可されているユーザであれば、前記Ｗｅｂブラウザに対して、第２スクリプトをロードして実行するように指示する監視手段とを備え、前記Ｗｅｂブラウザは、前記第１スクリプトを実行することによって、前記画面情報のロードが完了したことを前記監視手段に通知し、前記第２スクリプトを実行することによって、前記情報処理装置を現在使用しているユーザ及び前記画面情報に従ったフォームデータを前記管理サーバから取得し、前記画面情報及び前記フォームデータの前記入力すべき値を反映した画面を表示部に表示することを特徴とする。
【発明の効果】
【００１２】
本発明によれば、Ｗｅｂブラウザに表示された画面に対する、ユーザによる情報入力の手間を軽減するとともに、ユーザによる情報入力の手間を軽減する対象となるページをＷｅｂアプリケーションが指定することができる。
【図面の簡単な説明】
【００１３】
【図１】第１の実施形態に係る情報処理システムの全体図。
【図２】第１の実施形態に係るＭＦＰ１０１の構成を示すブロック図。
【図３】第１の実施形態に係るＷｅｂサーバ１０２の構成を示すブロック図。
【図４】第１の実施形態に係るＭＦＰ１０１のソフトウェア構成を示す図。
【図５】第１の実施形態に係るＷｅｂブラウザ４０４によりＨＴＭＬデータのロードが完了したことをＷｅｂブラウザ監視部４０７に通知するスクリプトの一例を示す図。
【図６】第１の実施形態に係るフォームデータ管理サーバ１０３のソフトウェア構成を示す図。
【図７】第１の実施形態に係るフォームデータ管理テーブルを示す図。
【図８】第１の実施形態に係るＷｅｂサーバ１０２のソフトウェア構成を示す図。
【図９】第１の実施形態に係るＷｅｂブラウザ監視部４０７の動作を説明するフローチャート。
【図１０】第１の実施形態に係る情報処理システム全体の動作を説明するシーケンス図。
【図１１】第１の実施形態に係るＭＦＰ１０１の画面を示す図。
【図１２】第１の実施形態に係るＷｅｂアプリケーション８１０が応答するＨＴＭＬデータの一例を示す図。
【図１３】第１の実施形態に係るＭＦＰ１０１の画面を示す図。
【図１４】第１の実施形態に係るＷｅｂブラウザ監視部４０７がＷｅｂブラウザ４０４に対してロードを指示するスクリプトの一例を示す図。
【図１５】第１の実施形態に係るスクリプト応答部６１４が応答するスクリプトの一例を示す図。
【図１６】第１の実施形態に係るＭＦＰ１０１の画面を示す図。
【図１７】第１の実施形態に係るフォームデータ保存処理のシーケンスを示す図。
【図１８】第２の実施形態に係る認証エラーが発生した場合、再度ユーザによる情報入力を行う画面遷移を示した図。
【図１９】第２の実施形態に係るＷｅｂブラウザ４０４によりＨＴＭＬデータのロードが完了し、かつそのページがユーザ情報を記憶する対象のページではないことをＷｅｂブラウザ監視部４０７に通知するスクリプトの一例を示す図。
【図２０】第２の実施形態に係る認証エラーが発生した場合に表示される画面１８０５のＨＴＭＬデータの一例を示す図。
【図２１】第２の実施形態に係るフォームデータ保存処理のシーケンスを示す図。
【発明を実施するための形態】
【００１４】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１５】
＜第１の実施形態＞
＜情報処理システム＞
まず、図１を参照して、本実施形態における情報処理システムの構成例について説明する。情報処理システム１００には、情報処理装置の一例であるＭＦＰ（Ｍｕｌｔｉ Ｆｕｎｃｔｉｏｎ Ｐｅｒｉｐｈｅｒａｌ）１０１、Ｗｅｂサーバ１０２、及び外部装置の一例であるフォームデータ管理サーバ１０３が含まれる。情報処理システム１００に含まれるＭＦＰ１０１、Ｗｅｂサーバ１０２、及びフォームデータ管理サーバ１０３は、ＬＡＮ（Ｌｏｃａｌ Ａｒｅａ Ｎｅｔｗｏｒｋ）１１０を介して互いに通信可能に接続される。なお、前述した装置以外の装置がＬＡＮ１１０上（ネットワーク上）に接続され、情報処理システム１００の一部を構成していてもよい。また、フォームデータ管理サーバの機能は、ＭＦＰ１０１に組み込まれてもよい。
【００１６】
＜情報処理装置の構成＞
次に、図２を参照して、情報処理装置であるＭＦＰ１０１の構成例について説明する。ＭＦＰ１０１は、制御部２１０、操作部２１９、プリンタ２２０、及びスキャナ２２１を備える。制御部２１０は、ＣＰＵ２１１、ＲＯＭ２１２、ＲＡＭ２１３、ＨＤＤ２１４、操作部Ｉ／Ｆ２１５、プリンタＩ／Ｆ２１６、スキャナＩ／Ｆ２１７、及びネットワークＩ／Ｆ２１８を備える。
【００１７】
ＣＰＵ２１１は、ＭＦＰ１０１全体の動作を制御する。ＣＰＵ２１１は、ＲＯＭ２１２に記憶された制御プログラムを読み出して読取制御や送信制御などの各種制御を行う。これにより、ＭＦＰ１０１は、コピー／スキャン（送信）／プリント等の各種サービスを提供することができる。ＲＡＭ２１３は、ＣＰＵ２１１の主メモリ、ワークエリア等の一時記憶領域として用いられる。ＨＤＤ２１４は、画像データや各種プログラムを記憶する。
【００１８】
操作部Ｉ／Ｆ２１５は、操作部２１９と制御部２１０を接続する。操作部２１９には、タッチパネル機能を有する液晶表示部やキーボードなどが備えられている。プリンタＩ／Ｆ２１６は、プリンタ２２０と制御部２１０を接続する。プリンタ２２０で印刷すべき画像データはプリンタＩ／Ｆ２１６を介して制御部２１０から転送され、プリンタ２２０において記録媒体上に印刷される。スキャナＩ／Ｆ２１７は、スキャナ２２１と制御部２１０を接続する。スキャナ２２１は、原稿上の画像を読み取って画像データを生成し、スキャナＩ／Ｆ２１７を介して制御部２１０に生成した画像データを入力する。ネットワークＩ／Ｆ２１８は、制御部２１０（ＭＦＰ１０１）をＬＡＮ１１０に接続する。ネットワークＩ／Ｆ２１８は、ＬＡＮ１１０上の装置（例えば、Ｗｅｂサーバ１０２やフォームデータ管理サーバ１０３）との通信を制御する。
【００１９】
＜Ｗｅｂサーバ＞
次に、図３を参照して、Ｗｅｂサーバ１０２の構成例について説明する。なお、フォームデータ管理サーバ１０３もＷｅｂサーバ１０２と同様の構成である。制御部３１０は、ＣＰＵ３１１、ＲＯＭ３１２、ＲＡＭ３１３、ＨＤＤ３１４、及びネットワークＩ／Ｆ３１５を備える。制御部３１０は、Ｗｅｂサーバ１０２全体の動作を制御する。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。ＨＤＤ３１４は、画像データや各種プログラムを記憶する。ネットワークＩ／Ｆ３１５は、制御部３１０（Ｗｅｂサーバ１０２）をＬＡＮ１１０に接続する。ネットワークＩ／Ｆ３１５は、ＬＡＮ１１０上の他の装置との間で各種情報を送受信する。
【００２０】
＜情報処理装置のソフトウェア構成＞
次に、図４を参照して、ＭＦＰ１０１のソフトウェア構成について説明する。図４に示す各機能部は、ＭＦＰ１０１のＨＤＤ２１４に格納されたプログラムを、ＭＦＰ１０１のＣＰＵ２１１が実行することによって実現される。なお、ＭＦＰ１０１には、図示した機能部以外にも、各種の機能部が備えられている。また、本発明においては、これに限定されず、以下で説明するソフトウェア構成がハードウェア構成、又は、ハードウェア構成とソフトウェア構成の組み合わせとして実現されてもよい。
【００２１】
ＭＦＰ１０１は、ソフトウェア構成として、メニュー管理部４０１、ログイン部４０２、ＨＴＴＰ通信部４０３、Ｗｅｂブラウザ４０４、スクリプト実行部４０５、ログインユーザ管理部４０６、及びＷｅｂブラウザ監視部４０７を備える。メニュー管理部４０１は、ＭＦＰ１０１の各ソフトウェアモジュール（機能部）を起動するためのメニュー画面を表示するための機能部である。コピー画面や後述するＷｅｂブラウザの画面等の表示を指示するためのＧＵＩ（Ｇｒａｐｈｉｃａｌ Ｕｓｅｒ Ｉｎｔｅｒｆａｃｅ）ボタンを一覧で表示する。また、ユーザによってボタンが操作（例えば、押下）されたことに応じて、対応するソフトウェアモジュール（機能部）を起動させる。
【００２２】
ログイン部４０２は、ＭＦＰ１０１を操作するユーザを識別するために、ＭＦＰ１０１の使用開始時にユーザからユーザ情報の入力を受け付けてユーザ認証を行う。なお、ここでのユーザ情報の入力は、後述するＷｅｂブラウザの画面ではなく、ＭＦＰ１０１内に保持されている画面データに基づいて操作部２１９に表示される画面で受け付ける。また、ユーザ情報の入力方法としては、操作部２１９に表示されたソフトウェアキーボードをユーザがタイプして入力する方法、或いは、ＩＣカードに格納されたユーザ情報を読み出して入力する方法等が用いられてよい。また、ユーザ情報の照合は、ログイン部４０２が行うものとするが、ユーザ情報のデータベースを管理する管理サーバを外部に別途設け、ユーザ情報の照合を管理サーバ側で行うようにしてもよい。ログイン部４０２は、ユーザ認証が成功した場合に、ユーザによるＭＦＰ１０１の使用を許可する。
【００２３】
ＨＴＴＰ（ＨｙｐｅｒＴｅｘｔ Ｔｒａｎｓｆｅｒ Ｐｒｏｔｏｃｏｌ）通信部４０３は、ネットワークＩ／Ｆ２１８を制御し、ＨＴＴＰに従った通信を実行する。Ｗｅｂブラウザ４０４は、ＨＴＴＰ通信部４０３を介してＷｅｂサーバ１０２と通信を行う。Ｗｅｂブラウザ４０４は、操作部２１９を介してユーザから指定されたＵＲＬ（Ｕｎｉｆｏｒｍ Ｒｅｓｏｕｒｃｅ Ｌｏｃａｔｏｒ）を使用し、当該ＵＲＬに対応するＨＴＭＬデータを、Ｗｅｂサーバ１０２に備えられたＷｅｂアプリケーションに対して要求する。また、この要求に対する応答としてＷｅｂアプリケーションから送信されたＨＴＭＬデータ（画面情報）を受信し、受信したＨＴＭＬデータに基づく画面を操作部２１９に表示する。
【００２４】
スクリプト実行部４０５は、Ｗｅｂブラウザ４０４が読み込んだスクリプト（例えば、Ｊａｖａ（登録商標）Ｓｃｒｉｐｔ）を解釈し、Ｗｅｂブラウザ４０４上に表示されるコンテンツを操作したり、ＨＴＴＰ通信部４０３による通信を実行させたりする。ログインユーザ管理部４０６は、ＭＦＰ１０１にログインしているユーザ（ログイン部４０２によって認証されたユーザ）のユーザ名やメールアドレス等のユーザ情報を管理する。また、ログインユーザ管理部４０６は、ログイン部４０２によって認証される各ユーザが使用可能なＭＦＰ１０１の機能を管理しており、認証されたユーザに応じて各機能の使用可否（実行可否）を判断することができる。本実施形態においては、ログインユーザ管理部４０６において、認証されたユーザ毎に、後述するＷｅｂブラウザのオートコンプリート機能（オートコンプリート処理）の使用可否が判断される。ここで、オートコンプリート機能とは、画面の中の任意のフォームに予め定義されたデータを反映した状態で表示する機能をいう。例えば、認証画面において、ＭＦＰ１０１を現在使用しているユーザに応じたユーザ名及びパスワードを入力した状態で表示することにより、ユーザ名及びパスワードに関するユーザ入力を省略することができる。
【００２５】
Ｗｅｂブラウザ監視部４０７は、Ｗｅｂブラウザ４０４の動作を監視する。具体的に、Ｗｅｂブラウザ監視部４０７は、Ｗｅｂブラウザ４０４によるＨＴＭＬデータのロードが完了したか否か、或いは、画面の表示が完了したか否かを判断する。また、Ｗｅｂブラウザ監視部４０７は、図１４で後述するスクリプトを予め保持しており、Ｗｅｂブラウザ４０４の動作に応じて自動的に、Ｗｅｂブラウザ４０４に対してスクリプトのロードを指示する。なお、本実施形態では、図５を用いて後述するスクリプトが実行され、ＨＴＭＬデータが完了したことがＷｅｂブラウザ監視部４０７に通知された場合に、スクリプトのロードを指示するものとする。図５は、Ｗｅｂブラウザ４０４からのＨＴＭＬデータのロードが完了したことをＷｅｂブラウザ監視部４０７に通知するスクリプト（第１のスクリプト）の例である。図５に示すスクリプト（Ｊａｖａスクリプト）は、Ｗｅｂブラウザ監視部４０７に通知することを定義している。したがって、後述するＷｅｂアプリケーション８１０は、Ｗｅｂブラウザ４０４からの要求に応答して送信するＨＴＭＬデータに当該スクリプトを埋め込むことで、Ｗｅｂブラウザ監視部４０７へＨＴＭＬデータのロード完了を通知させることができる。つまり、Ｗｅｂアプリケーション８１０は、例えば、当該スクリプトをＨＴＭＬデータに埋め込むことで、オートコンプリート機能が必要に応じて実行されるように制御することができる。このように、スクリプトとは、本実施形態におけるスクリプト実行部４０５が行う、一連の処理手順が定義されているものである。
【００２６】
＜フォームデータ管理サーバのソフトウェア構成＞
次に、図６を参照して、フォームデータ管理サーバ１０３のソフトウェア構成について説明する。図６に示す各機能部は、フォームデータ管理サーバ１０３のＨＤＤ３１４に格納されたプログラムを、フォームデータ管理サーバ１０３のＣＰＵ３１１が実行することによって実現される。なお、フォームデータ管理サーバ１０３には、図示した機能部以外にも、各種の機能部が備えられている。フォームデータ管理サーバ１０３には、「ｆｏｒｍｄａｔａｓｅｒｖｅｒ．ｘｘｘ．ｙｙｙ」というドメイン名を用いてアクセスすることが可能であるものとする。
【００２７】
フォームデータ管理アプリケーション６１０は、ＨＴＴＰ通信部６１１、フォームデータ応答部６１２、フォームデータ管理部６１３、及びスクリプト応答部６１４を備える。フォームデータ管理アプリケーション６１０は、ＬＡＮ１１０上の装置からの要求に応じて、フォームデータやスクリプトの応答を行う。フォームデータについては図７を用いて後述する。ＨＴＴＰ通信部６１１は、ＬＡＮ１１０を介してＨＴＴＰ要求を受信し、フォームデータ応答部６１２やスクリプト応答部６１４から受け取った情報をＨＴＴＰ応答として、ＨＴＴＰ要求を送信した装置に送信する。
【００２８】
フォームデータ応答部６１２は、ＨＴＴＰ通信部６１１を介して受け取る外部からの要求に応じてフォームデータに関する処理を行う。具合的には、「ｈｔｔｐｓ：／／ｆｏｒｍｄａｔａｓｅｒｖｅｒ．ｘｘｘ．ｙｙｙ／ｌｏａｄＳｅｒｖｉｃｅ」というＵＲＬにアクセスされた場合は、後述するフォームデータ管理テーブルに保存されているフォームデータを応答する。また、「ｈｔｔｐｓ：／／ｆｏｒｍｄａｔａｓｅｒｖｅｒ．ｘｘｘ．ｙｙｙ／ｓａｖｅＳｅｒｖｉｃｅ」というＵＲＬにアクセスされた場合は、フォームデータをフォームデータ管理テーブルに新たに保存する。
【００２９】
スクリプト応答部６１４は、ＨＴＴＰ通信部６１１を介して受け取る外部からの要求に応じてスクリプトを応答する。具体的には、「ｈｔｔｐｓ：／／ｆｏｒｍｄａｔａｓｅｒｖｅｒ．ｘｘｘ．ｙｙｙ／ｊｓ／ｍａｉｎ．ｊｓ」というＵＲＬにアクセスされた場合に、スクリプト応答部６１４が予め保持しているスクリプトを応答する。
【００３０】
＜フォームデータ管理テーブル＞
次に、図７を参照して、フォームデータ管理部６１３が保持するフォームデータ管理テーブル７００について説明する。フォームデータ管理テーブル７００には、複数のフォームデータが定義されている。列７０１には、ＭＦＰ１０１のＷｅｂブラウザ４０４がＨＴＭＬデータを受信するために使用するＵＲＬが格納されている。このＵＲＬによって、ＭＦＰ１０１のＷｅｂブラウザ４０４がアクセスするＷｅｂアプリケーション毎に区別して、フォームデータが管理されている。
【００３１】
列７０２には、ＭＦＰ１０１にログインするユーザのユーザ名が格納されている。当該ユーザは、ログイン部４０２によって認証される。このユーザ名によって、ＭＦＰ１０１を操作するユーザを区別して、フォームデータが管理されている。列７０３には、ＭＦＰ１０１のＷｅｂブラウザ４０４が受信するＨＴＭＬデータに含まれるフォームの要素名が格納されている。この要素名によって、ＭＦＰ１０１のＷｅｂブラウザ４０４が受信するＨＴＭＬデータに含まれるフォームの種類毎に区別して、フォームデータが管理されている。ここで、フォームとは、本実施形態において、ＨＴＭＬデータに基づいてＷｅｂブラウザ４０４が表示する画面内に含まれるユーザ入力が可能な入力フォームを示す。例えば、後述する図１３におけるユーザ名を入力するためのテキストボックスコントロール１３０２や、パスワードを入力するためのパスワードコントロール１３０３等に対応する。列７０４には、ＭＦＰ１０１のＷｅｂブラウザ４０４が受信するＨＴＭＬデータに含まれるフォームに対して入力すべき値が格納されている。
【００３２】
図７において、「ｕｓｅｒ１」というユーザ名でＭＦＰ１０１にログインし、「ｈｔｔｐ：／／ｗｗｗ．ｓｅｒｖｅｒＡ．ｘｘｘ．ｙｙｙ／ｓｅｒｖｉｃｅ１／ｌｏｇｉｎ．ｈｔｍｌ」のＵＲＬを使用してＨＴＭＬデータを受信した場合を例として説明する。この場合、１行目のレコードに格納されている要素名「ｕｓｅｒｎａｍｅ」及び値「ｘｘｘ」、及び２行目のレコードに格納されている要素名「ｐａｓｓｗｏｒｄ」及び値「ｙｙｙ」がＷｅｂブラウザ４０４に応答される。したがって、Ｗｅｂブラウザ４０４は、ＨＴＭＬデータに含まれる「ｕｓｅｒｎａｍｅ」という要素名のフォームに対して、「ｘｘｘ」という値を設定した状態でＨＴＭＬデータに従った画面を操作部２１９に表示する。また、Ｗｅｂブラウザ４０４は、ＨＴＭＬデータに含まれる「ｐａｓｓｗｏｒｄ」という要素名のフォームに対して、「ｙｙｙ」という値を設定した状態でＨＴＭＬデータに従った画面を操作部２１９に表示する。この一連の処理により、オートコンプリート機能を実現することができ、ＭＦＰ１０１のユーザが「ｘｘｘ」、「ｙｙｙ」という値を手動で入力する手間を省くことができる。
【００３３】
＜Ｗｅｂサーバのソフトウェア構成＞
次に、図８を参照して、Ｗｅｂサーバ１０２のソフトウェア構成について説明する。図８に示す各機能部は、Ｗｅｂサーバ１０２のＨＤＤ３１４に格納されたプログラムを、Ｗｅｂサーバ１０２のＣＰＵ３１１が実行することによって実現される。Ｗｅｂサーバ１０２は、Ｗｅｂアプリケーション８１０と、ＨＴＴＰ通信部８１３を備える。Ｗｅｂアプリケーション８１０は、プレゼンテーション部８１１と、ロジック部８１２とを備える。
【００３４】
Ｗｅｂアプリケーション８１０は、ＭＦＰ１０１のＷｅｂブラウザ４０４からの要求に対する応答として、ユーザを認証するために使用されるユーザ情報の入力を受け付けるユーザ情報入力画面を表示するためのＨＴＭＬデータをＭＦＰ１０１へ送信する。このＨＴＭＬデータには、上述したフォームの情報が含まれる。したがって、Ｗｅｂアプリケーション８１０は、図７の列７０１に定義されている特定のＵＲＬ（特定の画面情報）を指定することで、オートコンプリート機能を適用するか否かを制御することができる。また、上述したように、Ｗｅｂアプリケーション８１０は、Ｗｅｂブラウザ４０４からのＨＴＭＬデータのロードが完了したことをＷｅｂブラウザ監視部４０７に通知するスクリプト（第１スクリプト）をＨＴＭＬデータに埋め込むことができる。これにより、Ｗｅｂアプリケーション８１０は、オートコンプリート機能を適用するか否かを制御することもできる。Ｗｅｂアプリケーション８１０は、その他にも、ＭＦＰ１０１に対するユーザの指示を受け付ける画面を表示するためのＨＴＭＬデータや、ＭＦＰ１０１に対する画像処理の実行指示等を送信する。
【００３５】
プレゼンテーション部８１１は、ＨＴＴＰ通信部８１３を介して、ＭＦＰ１０１のＷｅｂブラウザ４０４にＨＴＭＬデータを提供する。また、プレゼンテーション部８１１は、ＨＴＴＰ通信部８１３を介して、Ｗｅｂブラウザ４０４から送信されてくるフォームデータを受け取る。ロジック部８１２は、プレゼンテーション部８１１を介して受け取ったフォームデータに関する処理を行う。本実施形態では、フォームデータとしてＷｅｂブラウザ４０４から送信されるユーザ情報（Ｗｅｂブラウザ４０４に表示された画面上で、ユーザが手動で入力したもの、或いは、オートコンプリート機能を用いて入力されたもの）に関する処理を行う。当該処理は、例えば、予めデータベースに管理しているユーザ情報との照合を行い、一致するものが存在する場合に、Ｗｅｂアプリケーション８１０の使用を許可する処理である。Ｗｅｂアプリケーション８１０の使用を許可する場合は、Ｗｅｂアプリケーション８１０の操作画面を表示するためのＨＴＭＬデータをＷｅｂブラウザ４０４に応答する。
【００３６】
＜監視処理＞
次に、図９を参照して、ＭＦＰ１０１において、Ｗｅｂブラウザ監視部４０７がＷｅｂブラウザ４０４におけるＨＴＭＬデータのロード完了を監視し、Ｗｅｂブラウザ４０４に対してスクリプトのロードを指示する処理について説明する。図９のフローチャートは、ログイン部４０２によるユーザ認証が成功し、ユーザがＭＦＰ１０１の使用を開始したときに実行される。なお、図９のフローチャートに示す各動作（ステップ）は、ＭＦＰ１０１のＣＰＵ２１１がＨＤＤ２１４に記憶された制御プログラムを実行することにより実現される。
【００３７】
Ｓ９０１において、ＣＰＵ２１１は、ログインユーザ管理部４０６に対する問い合わせを行い、ＭＦＰ１０１を現在使用しているユーザが、オートコンプリート機能の使用が許可されたユーザであるか否かを判定する。ここで、ログインユーザ管理部４０６は、ユーザごとにオートコンプリート機能の使用が許可されているか否かを示す情報を管理しており、例えば、ＣＰＵ２１１から受信したユーザＩＤを用いて管理している情報を検索することにより判定する。判定の結果、オートコンプリート機能の使用が許可されたユーザである場合はＳ９０２に進み、オートコンプリート機能の使用が許可されたユーザでなければ処理を終了する。
【００３８】
Ｓ９０２において、ＣＰＵ２１１は、Ｗｅｂブラウザ４０４を操作部２１９に表示中であるか否かを判定する。この判定は、Ｗｅｂブラウザ４０４が起動中であるか否かに基づいて判定してもよいし、Ｗｅｂブラウザ４０４が操作部２１９の最前面に表示されているか否かに基づいて判定してもよい。判定の結果、Ｗｅｂブラウザ４０４が表示中である場合はＳ９０３に進み、Ｗｅｂブラウザ４０４が表示中でなければＳ９０６に進む。
【００３９】
Ｓ９０３において、ＣＰＵ２１１は、Ｗｅｂブラウザ４０４によるＨＴＭＬデータのロード完了通知があるかどうかを判定する。判定の結果、ＨＴＭＬデータのロードが完了した場合はＳ９０４に進み、ＨＴＭＬデータのロードが完了していなければＳ９０５に進む。
【００４０】
Ｓ９０４において、ＣＰＵ２１１は、後述するオートコンプリート機能を行うために、Ｗｅｂブラウザ監視部４０７内に保持されているスクリプトのロードをＷｅｂブラウザ４０４に指示して、Ｓ９０５に進む。Ｓ９０５において、ＣＰＵ２１１は、ＭＦＰ１０１からユーザがログアウトしたか否かを判定する。ユーザがログアウトした場合は処理を終了し、ユーザがログアウトしていない場合はＳ９０２に戻る。
【００４１】
＜オートコンプリート機能＞
次に、図１０を参照して、本実施形態におけるオートコンプリート機能について説明する。ユーザ（ユーザ名が「ｕｓｅｒ１」であり、オートコンプリートが許可されているユーザであるものとする）がＭＦＰ１０１にログインすると、最初は、メニュー管理部４０１によってメニュー画面が操作部２１９に表示される。図１１は、メニュー管理部４０１によって表示されるメニュー画面１１００を示す。メニュー画面１１００には、コピーアプリケーションの利用を指示するためのＧＵＩボタン１１０１及びファクスアプリケーションの利用を指示するためのＧＵＩボタン１１０２が表示される。なお、コピーアプリケーション及びファクスアプリケーションは、ＭＦＰ１０１内に備えられているアプリケーションであって、これらのアプリケーションを使用する場合は、Ｗｅｂブラウザ４０４は使用されない。しかし、これらのアプリケーションについてもＷｅｂサーバ１０２が提供するＷｅｂアプリケーションとして動作することも可能である。
【００４２】
ＧＵＩボタン１１０３及び１１０４は、それぞれＬＡＮ１１０上のＷｅｂサーバ１０２に備えられたＷｅｂアプリケーションの利用を指示するためのＧＵＩボタンである。ＧＵＩボタン１１０５は、ＷｅｂアプリケーションからユーザをログアウトさせるためのＧＵＩボタンである。ＧＵＩボタン１１０３及び１１０４には、それぞれ異なるＵＲＬが割り付けられている。ここでは、ＧＵＩボタン１１０３に、Ｗｅｂアプリケーション８１０に対応するＵＲＬが対応付けられているものとする。
【００４３】
ＧＵＩボタン１１０３が押下（操作）されると、図１０のＳ１００１において、メニュー管理部４０１は、Ｗｅｂブラウザ４０４を起動させるとともに、操作部２１９の最前面にＷｅｂブラウザ４０４を表示するように制御する。また、ＧＵＩボタン１１０３に割り付けられているＵＲＬを使用して、Ｗｅｂアプリケーション８１０に対するＨＴＭＬデータの要求を行うようにＷｅｂブラウザ４０４に指示する。
【００４４】
Ｓ１００２において、Ｗｅｂブラウザ４０４は、メニュー管理部４０１からの指示に従って、Ｗｅｂアプリケーション８１０に対してＨＴＭＬデータを要求する。Ｓ１００３において、Ｗｅｂアプリケーション８１０は、ユーザを認証するために使用するユーザ情報の入力を受け付けるユーザ情報入力画面を表示するためのＨＴＭＬデータをＷｅｂブラウザ４０４へ応答（送信）する。
【００４５】
図１２に、Ｓ１００３でＷｅｂアプリケーション８１０が応答するＨＴＭＬデータを示す。なお、本実施形態の画面データは、ＨＴＭＬ形式で記述されたものであるが、説明を簡略化するためにスタイルシートの設定等については省略する。
【００４６】
ｓｃｒｉｐｔタグ１２００は、図５で示したＷｅｂブラウザ４０４によりＨＴＭＬデータのロードが完了したことをＷｅｂブラウザ監視部４０７に通知するスクリプトである。ｉｎｐｕｔタグ１２０１は、ユーザ名を入力するための要素である。ｉｎｐｕｔタグ１２０２は、パスワードを入力するための要素である。ｉｎｐｕｔタグ１２０３は、フォームに入力された情報（ここでは、ユーザ情報）をサブミットするための要素である。
【００４７】
Ｗｅｂアプリケーション８１０からのＨＴＭＬデータをＷｅｂブラウザ４０４がロードし画面の表示が完了すると、Ｓ１００４において、Ｗｅｂブラウザ４０４は、ｓｃｒｉｐｔタグ１２００に記載のスクリプトの実行をスクリプト実行部４０５に指示する。スクリプト実行した結果、Ｓ１００５において、スクリプト実行部４０５は、Ｗｅｂブラウザ４０４がロードしているＨＴＭＬデータに対して図５に示す５０１を追記し、画面データを書き換える。Ｓ１００６において、Ｗｅｂブラウザ４０４は、Ｗｅｂブラウザ監視部４０７に対してロード完了を通知する。
【００４８】
図１３は、図１２に示すＨＴＭＬデータに基づいてＷｅｂブラウザ４０４に表示される画面を示す。ＧＵＩ画面１３０１には、ｉｎｐｕｔタグ１２０１に基づいてユーザ名を入力するためのテキストボックスコントロール１３０２が表示される。また、ｉｎｐｕｔタグ１２０２に基づいてパスワードを入力するためのパスワードコントロール１３０３が表示される。また、ｉｎｐｕｔタグ１２０３に基づいて、テキストボックスコントロール１３０２に入力されたユーザ名と、パスワードコントロール１３０３に入力されたパスワードとを用いてログインするためのＧＵＩボタン１３０４が表示される。
【００４９】
Ｓ１００７において、Ｗｅｂブラウザ監視部４０７は、Ｗｅｂブラウザ４０４に対して、スクリプトのロードを指示する。この処理は、図９のＳ９０４の処理に対応する処理である。
【００５０】
図１４は、Ｗｅｂブラウザ監視部４０７がＷｅｂブラウザ４０４に対してロードを指示するスクリプトの例である。図１４は、説明を簡略化するために改行しているが、実際には改行やスペースのない文字列である。図１４に示すスクリプトは、１４０１のＵＲＬを外部スクリプトとしてＨＴＭＬデータに追加（画面データを書き換え）することを定義している。１４０１のＵＲＬは、「スクリプト応答部６１４のＵＲＬ」に、「現在Ｗｅｂブラウザ４０４がロードしているＨＴＭＬデータを受信するために使用したＵＲＬ」及び「現在ＭＦＰ１０１にログインしているユーザのユーザ名」をクエリとして結合したものである。
【００５１】
「スクリプト応答部６１４のＵＲＬ」は、Ｗｅｂブラウザ監視部４０７が予め保持している情報である。「現在Ｗｅｂブラウザ４０４がロードしているＨＴＭＬデータを受信するために使用したＵＲＬ」及び「現在ＭＦＰ１０１にログインしているユーザのユーザ名」は、ＭＦＰ１０１の状態に応じて動的に決定される情報である。なお、図１４に示すスクリプトに、同一のスクリプトを同一のＨＴＭＬデータに２回以上ロードしないようにするための記述を加えることが望ましい。
【００５２】
Ｓ１００８において、Ｗｅｂブラウザ４０４は、Ｗｅｂブラウザ監視部４０７からロード指示されたスクリプトの実行を、スクリプト実行部４０５に対して指示する。この指示に応じて、スクリプト実行部４０５は、図１４のスクリプトを実行する。
【００５３】
図１４のスクリプトには、上述した通り、ＨＴＭＬデータの書き換えが定義されている。したがって、スクリプト実行部４０５がスクリプトを実行すると、Ｓ１００９において、Ｗｅｂブラウザ４０４がロードしているＨＴＭＬデータに対して１４０１が追記され、画面データが書き換えられる。
【００５４】
Ｓ１０１０において、Ｗｅｂブラウザ４０４は、Ｓ１００９におけるスクリプトタグの追記に応じて、フォームデータ管理アプリケーション６１０に対して、スクリプト（第２スクリプト）を要求する。この要求には、１４０１に示される通り、「現在Ｗｅｂブラウザ４０４がロードしているＨＴＭＬデータを受信するために使用したＵＲＬ」を示す情報及び「現在ＭＦＰ１０１にログインしているユーザのユーザ名」を示す情報が含まれている。
【００５５】
Ｓ１０１１において、フォームデータ管理アプリケーション６１０のスクリプト応答部６１４は、スクリプトをＷｅｂブラウザ４０４に応答する。このとき、スクリプト応答部６１４は、フォームデータ管理部６１３が保持するフォームデータ管理テーブルにアクセスし、クエリ文字列に含まれる「ＵＲＬ」及び「ユーザ名」に対応する行を決定する。例えば、図７に示す列７０１及び列７０２の情報である。
【００５６】
スクリプト応答部６１４は、決定した行にアクセスするためのＩＤを、フォームデータ管理部６１３に発行させる。ここではＩＤとして「０１２３４５６７８９」が発行されるものとする。このＩＤを用いることで、フォームデータ管理テーブル７００に含まれるフォームデータを取得することが可能となるが、フォームデータ管理テーブル７００に対するアクセスが所定時間以上ない場合は、ＩＤが無効化される。
【００５７】
図１５は、スクリプト応答部６１４が応答するスクリプトの例である。１５０１は、オートコンプリートのためのフォームデータをフォームデータ管理アプリケーション６１０に対して要求し、Ｗｅｂブラウザ４０４にロードされたＨＴＭＬデータに含まれる要素に値を設定するファンクションを示す。
【００５８】
１５０２は、フォームデータ管理アプリケーション６１０から取得したフォームデータを、Ｗｅｂブラウザ４０４がロードしているＨＴＭＬデータに含まれる要素に値を設定するスクリプトである。１５０３は、「ｈｔｔｐｓ：／／ｆｏｒｍｄａｔａｓｅｒｖｅｒ．ｘｘｘ．ｙｙｙ／ｌｏａｄＳｅｒｖｉｃｅ」のＵＲＬで示されるフォームデータ応答部６１２のフォームデータ取得サービスに対して、フォームデータを要求するスクリプトである。この要求には、フォームデータ管理部６１３が前もって発行したＩＤ「０１２３４５６７８９」が含まれる。
【００５９】
１５０４は、Ｗｅｂブラウザ４０４により表示された画面を介してユーザが入力したフォームデータ（ここでは、ユーザ情報）をフォームデータ管理アプリケーション６１０に送信し、保存させるためのファンクションを示す。１５０５は、ＨＴＭＬデータに含まれるフォームから、要素名及び値を読み取って、「ｒｅｑｄａｔａ」という変数に設定するスクリプトである。１５０６は、「ｈｔｔｐｓ：／／ｆｏｒｍｄａｔａｓｅｒｖｅｒ．ｘｘｘ．ｙｙｙ／ｓａｖｅＳｅｒｖｉｃｅ」のＵＲＬで示されるフォームデータ応答部６１２のフォームデータ保存サービスに対して前述の「ｒｅｑｄａｔａ」の保存を要求するスクリプトである。この要求には、フォームデータ管理部６１３が前もって発行したＩＤ「０１２３４５６７８９」が含まれる。
【００６０】
１５０７は、図１５のスクリプトが読み込まれたときに自動的に実行するファンクションを示す。１５０８は、Ｗｅｂブラウザ４０４がロードしているＨＴＭＬデータに、１５０１のファンクションを呼び出すための表示オブジェクト（ボタン）を追加するスクリプトである。１５０９は、Ｗｅｂブラウザ４０４がロードしているＨＴＭＬデータに、１５０４のファンクションを呼び出すための表示オブジェクト（ボタン）を追加するスクリプトである。１５１０は、１５０１のファンクションを呼び出すためのスクリプトである。
【００６１】
Ｓ１０１２において、Ｗｅｂブラウザ４０４は、フォームデータ管理アプリケーション６１０から応答されたスクリプトの実行を、スクリプト実行部４０５に対して指示する。この指示に応じて、スクリプト実行部４０５は、図１５のスクリプトを実行する。Ｓ１０１３において、スクリプト実行部４０５は、１５０８及び１５０９のスクリプトを実行し、Ｗｅｂブラウザ４０４がロードしているＨＴＭＬデータに、ＧＵＩボタンを表示するためのデータを追加する。続いて、スクリプト実行部４０５は、１５１０のスクリプトを実行することにより、１５０１のファンクションが呼び出され、１５０３のスクリプトが実行される。
【００６２】
Ｓ１０１４において、スクリプト実行部４０５は、１５０３のスクリプトを実行した結果として、フォームデータ管理アプリケーション６１０に対するフォームデータを要求する。この要求を受けたフォームデータ管理アプリケーション６１０は、Ｓ１０１５において、フォームデータ管理テーブル７００に含まれるフォームデータのうち、要求に含まれるＩＤに対応するフォームデータを、フォームデータ応答部６１２によって応答する。
【００６３】
図７の場合、「ｈｔｔｐ：／／ｗｗｗ．ｓｅｒｖｅｒＡ．ｘｘｘ．ｙｙｙ／ｓｅｒｖｉｃｅ１／ｌｏｇｉｎ．ｈｔｍｌ」及び「ｕｓｅｒ１」の２つのキーに一致する要素名と値が応答される。具体的には、「ｕｓｅｒｎａｍｅ」について「ｘｘｘ」、「ｐａｓｓｗｏｒｄ」について「ｙｙｙ」の情報が応答される。スクリプト実行部４０５は、Ｓ１０１５でフォームデータ管理アプリケーション６１０からの応答を受け取った後、スクリプト１５０２を実行する。Ｓ１０１６では、スクリプト１５０２を実行した結果として、フォームデータ管理アプリケーション６１０から取得したフォームデータを、Ｗｅｂブラウザ４０４がロードしているＨＴＭＬデータに設定すべく、ＨＴＭＬデータを書き換える。
【００６４】
図１６は、Ｓ１０１３及びＳ１０１５の処理が行われた結果、Ｗｅｂブラウザ４０４に表示される画面を示す。ＧＵＩボタン１６０１及びＧＵＩボタン１６０２は、Ｓ１０１３におけるＨＴＭＬデータの書き換えによって追加される表示オブジェクトである。また、Ｓ１０１５の処理の結果として、１６０３及び１６０４に示す通り、テキストボックスコントロール１３０２及びパスワードコントロール１３０３にユーザ名「ｘｘｘ」及びパスワード「ｙｙｙ」がオートコンプリート（プリセット）される。なお、１６０４には実際には「ｙｙｙ」という値が設定されているが、内容がパスワードであるため画面上では「＊＊＊」と表示される。
【００６５】
図１６のようにユーザ情報がオートコンプリートされた状態から、ユーザが１６０３及び１６０４の内容を誤って変更してしまったときは、ＧＵＩボタン１６０１を押下することにより、再度オートコンプリートの処理を実行させることができる。ユーザによってＧＵＩボタン１６０１が押下されると、Ｗｅｂブラウザ４０４がスクリプト実行部４０５を呼び出し、１５０１のスクリプトが実行される。
【００６６】
＜フォームデータの保存処理＞
次に、図１７を参照して、Ｗｅｂブラウザ４０４によって表示されている画面にユーザが手動で入力したユーザ情報を次回以降のログイン処理のためにフォームデータ管理アプリケーション６１０に新たに保存する処理について説明する。つまり、当該保存処理は、新たなユーザ情報が入力された場合に、次回のログイン処理時にオートコンプリート機能を実行するためのユーザ情報を保存する。図１７に示すシーケンスは、図１６に示す画面がＷｅｂブラウザ４０４によって表示されている状態で、ユーザが手動で情報入力した後、ＧＵＩボタン１６０２を押下すると開始される。
【００６７】
Ｓ１７０１において、Ｗｅｂブラウザ４０４は、スクリプト実行部４０５に対して、図５の１５０４に示すスクリプトの実行を指示する。Ｓ１７０２において、スクリプト実行部４０５は、１５０４のスクリプトを実行し、その結果、フォームデータ管理アプリケーション６１０に対してフォームデータの保存を要求する。この要求には、フォームの要素名及び値、更に前もって発行されているＩＤが含まれる。フォームデータ管理アプリケーション６１０側では、スクリプト実行部４０５からの要求に応じて、フォームデータ管理テーブル７００の内容を更新する。
【００６８】
以上説明したように、本実施形態によれば、特定のＵＲＬを使用したＨＴＭＬデータの受信（及び画面の表示）が行われたときに、ＭＦＰ１０１外部のフォームデータ管理アプリケーション６１０に管理されているフォームデータがオートコンプリートされる。これにより、例えば、Ｗｅｂアプリケーション８１０にログインするためのユーザ情報入力画面に入力が必要なユーザ情報をユーザが入力する手間を省くことができる。また、新たなユーザ情報が入力された場合には、当該情報をフォームデータ管理アプリケーション６１０に通知して情報を更新することができる。このように、本実施形態によれば、オートコンプリートに関する情報をＭＦＰ１０１等のクライアント装置で管理する必要がなく、サーバ装置であるフォームデータ管理サーバ１０３で管理することができる。したがって、本システムにおけるクライアント装置は、Ｗｅｂサーバ１０２及びフォームデータ管理サーバ１０３を利用することにより、自装置において各ユーザの情報を保持することなく、オートコンプリート機能を実現することができる。また、本実施形態によれば、上述したように、ユーザによる情報入力の手間を軽減する対象となるページをＷｅｂアプリケーション８１０が指定することができる。したがって、情報処理システムの全てのクライアント装置をメンテナンスすることなくＷｅｂサーバ１０２をメンテナンスすることにより、オートコンプリート機能を容易にメンテナンスすることもできる。なお、本発明は、Ｗｅｂサーバ１０２及びフォームデータ管理サーバ１０３を統合したサーバを適用することもできる。
【００６９】
なお、ユーザ認証に使用されるユーザ情報をオートコンプリートする例を説明したが、オートコンプリートの対象とする情報はこれに限らず、例えば、検索キーワードや定型の挨拶文などを対象としてもよい。また、オートコンプリートの対象は、キーワードだけに限らず、プルダウンからの選択やチェックボックスに対するチェックの入力に応用することも可能である。
【００７０】
また、図１０のＳ１０１０、Ｓ１０１１、Ｓ１０１４、及びＳ１０１５では、スクリプト実行部４０５やＷｅｂブラウザ４０４がフォームデータ管理アプリケーション６１０と通信しているが、これをＷｅｂブラウザ監視部４０７が仲介するようにしてもよい。この場合は、フォームデータ管理アプリケーション６１０側がＨＴＴＰ以外の通信プロトコルに対応するものであってもよいという利点がある。
【００７１】
また、図１４に示すスクリプトをＷｅｂブラウザ監視部４０７が保持する例について説明したが、代わりに、Ｗｅｂブラウザ４０４がブックマークとして保持するようにしてもよい。この場合、図１０のＳ１００５におけるスクリプトロード指示では、Ｗｅｂブラウザ監視部４０７がブックマークＩＤを指定し、Ｗｅｂブラウザ４０４は指定されたブックマークＩＤに対応するブックマーク情報（図１４のスクリプト）をロードする。
【００７２】
＜第２の実施形態＞
以下では、図１８乃至図２１を参照して、第２の実施形態について説明する。上記第１の実施形態では、Ｗｅｂアプリケーション８１０が、ユーザによる情報入力の手間を軽減する対象となるページとして指定したページのＵＲＬに対して、ユーザ名などの情報を紐づけて記憶することを実現している。仮にそのページがユーザ認証を行うページである場合には、ユーザが誤った情報を入力した場合、認証エラーとなることがある。このとき、エラー画面において再度ユーザによる情報入力を行う画面を表示させ、認証を行うという構成がある。この場合、ユーザによって入力されて情報と共に記憶するＵＲＬは、エラー画面ではなく、元のユーザ認証を行うページになるべきである。本実施形態では、ユーザによって入力された情報を、エラー画面ではなく元のユーザ認証ページのＵＲＬに紐づけて記憶する実施形態について説明する。
【００７３】
図１８は、ユーザによる情報入力において認証エラーが発生した場合、再度ユーザによる情報入力を行う画面遷移を示す。１８０１は、ユーザ認証を伴う情報入力を行う画面（Ｌｏｇｉｎ．ｈｔｍｌ）を示す。図９のＳ９０３において、判定の結果、Ｌｏｇｉｎ．ｈｔｍｌ（ＵＲＬ情報）のＨＴＭＬデータのロード完了通知を受け取った場合は、Ｗｅｂブラウザ監視部４０７は、ＵＲＬ情報を記憶する。ユーザが画面１８０１において、認証用のログインＩＤ１８０２及びパスワード１８０３を入力してログインボタン１８０４を押下して、認証エラーが発生した場合に表示される画面が１８０５（Ｅｒｒｏｒ．ｈｔｍｌ）である。画面１８０５においては、認証用のログインＩＤ１８０６及びパスワード１８０７を入力してログインするＧＵＩボタン１８０８を押下することにより再度ログイン処理を行うことができる。
【００７４】
図１９は、Ｗｅｂブラウザ４０４によりＨＴＭＬデータのロードが完了し、かつそのページがユーザ情報を記憶する対象のページではないことをＷｅｂブラウザ監視部４０７に通知するスクリプトを示す。図２０は、図１８で説明した認証エラーが発生した場合に表示される画面１８０５のＨＴＭＬデータを示す。ｓｃｒｉｐｔタグ２００１は、図１９で示したＷｅｂブラウザ４０４によりＨＴＭＬデータのロードが完了し、かつそのページがユーザ情報を記憶する対象のページではないことをＷｅｂブラウザ監視部４０７に通知するスクリプトである。
【００７５】
画面１８０５の読み込みが完了し、ＨＴＭＬデータのロードが完了すると、図１０のＳ１００７において、Ｗｅｂブラウザ監視部４０７は、Ｗｅｂブラウザ４０４に対して、スクリプトのロードを指示する。この際、本実施形態では、Ｗｅｂブラウザ監視部４０７は、ＵＲＬ情報（１８０１）をＷｅｂブラウザ４０４に通知する。
【００７６】
＜フォームデータの保存処理＞
次に、図２１を参照して、本実施形態における画面１８０５においてユーザが情報入力を行った際のフォームデータの保存処理について説明する。図２１に示すシーケンスは、画面１８０５に示す画面がＷｅｂブラウザ４０４によって表示されている状態で、ユーザが手動で情報入力した後、ＧＵＩボタン１８０８を押下すると開始される。
【００７７】
Ｓ２１０１において、Ｗｅｂブラウザ４０４は、スクリプト実行部４０５に対して、図１５の１５０４に示すスクリプトの実行を指示する。Ｓ２１０２において、スクリプト実行部４０５は、１５０４のスクリプトを実行した結果として、フォームデータ管理アプリケーション６１０に対してフォームデータの保存を要求する。この際、保存を要求する条件として、再入力されたユーザ情報（ユーザ名及びパスワード）において認証が成功したことを条件とすることが望ましい。本実施形態によれば、当該要求には、フォームデータ管理アプリケーション６１０側で記憶するＵＲＬ情報（１８０１）が含まれる。フォームデータ管理アプリケーション６１０側では、スクリプト実行部４０５からの要求に応じて、フォームデータ管理テーブル７００の内容を更新する。
【００７８】
また、本実施形態では、Ｗｅｂブラウザ監視部４０７で保持したＵＲＬ情報（１８０１）を、Ｗｅｂブラウザ４０４に通知したうえで、フォームデータ管理アプリケーション６１０に、紐づくユーザ情報と共にＵＲＬ情報（１８０１）を通知する形態をとっている。しかしながら、Ｗｅｂブラウザ監視部４０７とフォームデータ管理アプリケーション６１０が同一モジュールである場合には、Ｗｅｂブラウザ監視部４０７からフォームデータ管理アプリケーション６１０に通知する必要はない。その場合、フォームデータ管理アプリケーション６１０が、Ｗｅｂブラウザ監視部４０７に保持してあるＵＲＬ情報（１８０１）を参照してもよい。
【００７９】
以上説明したように、本実施形態に係る情報処理システムは、オートコンプリート機能を通じて認証処理を行った場合に、認証エラーが発生すると、再びユーザ入力を要求し、入力されたユーザ情報に従って認証を実行する。さらに、認証が成功すると、新たに入力されたユーザ情報を次回からのオートコンプリート機能に利用するために、フォームデータ管理テーブル７００に当該ユーザ情報の内容を更新することができる。
【００８０】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2015125620.tif 000003
【図２】
2015125620.tif 000004
【図３】
2015125620.tif 000005
【図４】
2015125620.tif 000006
【図５】
2015125620.tif 000007
【図６】
2015125620.tif 000008
【図７】
2015125620.tif 000009
【図８】
2015125620.tif 000010
【図９】
2015125620.tif 000011
【図１０】
2015125620.tif 000012
【図１１】
2015125620.tif 000013
【図１２】
2015125620.tif 000014
【図１３】
2015125620.tif 000015
【図１４】
2015125620.tif 000016
【図１５】
2015125620.tif 000017
【図１６】
2015125620.tif 000018
【図１７】
2015125620.tif 000019
【図１８】
2015125620.tif 000020
【図１９】
2015125620.tif 000021
【図２０】
2015125620.tif 000022
【図２１】
2015125620.tif 000023
【手続補正書】
【提出日】平成26年9月25日(2014.9.25)
【手続補正１】
【補正対象書類名】特許請求の範囲
【補正対象項目名】全文
【補正方法】変更
【補正の内容】
【特許請求の範囲】
【請求項１】
Ｗｅｂサーバから提供される画面情報を受信し、当該画面情報に基づいて認証情報の入力画面を表示可能なＷｅｂブラウザを備えた情報処理装置であって、
スクリプトを実行する実行手段と、
外部装置に記憶されている認証情報を取得するための第１のスクリプトを保持する保持手段と、
前記保持手段により保持された第１のスクリプトを前記実行手段に実行させる制御手段と、
前記受信した画面情報に第２のスクリプトが含まれる場合に当該第２のスクリプトを前記実行手段に実行させ、当該第２のスクリプトの実行結果として前記制御手段に対する通知を行う通知手段と、
前記通知手段による通知を受けた前記制御手段が前記第１のスクリプトを前記実行手段に実行させた結果として前記認証情報を取得する取得手段と、
前記取得手段によって取得された認証情報をセットした状態で、前記入力画面を表示する表示手段と、
を備えることを特徴とする情報処理装置。
【請求項２】
Ｗｅｂサーバから提供される画面情報を受信し、当該画面情報に基づいて認証情報の入力画面を表示可能なＷｅｂブラウザを備えた情報処理装置であって、
スクリプトを実行する実行手段と、
外部装置に記憶されている認証情報を取得するための第１のスクリプトを保持する保持手段と、
前記受信した画面情報に第２のスクリプトが含まれる場合に前記第１のスクリプトを前記実行手段に実行させ、当該第１のスクリプトの実行結果として前記認証情報を取得する取得手段と、
前記取得手段によって取得された認証情報をセットした状態で、前記入力画面を表示する表示手段と、
を備えることを特徴とする情報処理装置。
【請求項３】
前記取得手段は、前記第１のスクリプトの実行結果として前記外部装置から提供される第３のスクリプトを前記実行手段に実行させることによって前記認証情報を取得することを特徴とする請求項１または２に記載の情報処理装置。
【請求項４】
前記取得手段は、前記第１のスクリプトの実行結果として前記外部装置によって発行されるＩＤを用いて前記認証情報を取得することを特徴とする請求項１乃至３のいずれか１項に記載の情報処理装置。
【請求項５】
前記情報処理装置に対してユーザが入力した認証情報を前記外部装置に記憶させる保存手段を更に備え、
前記取得手段が取得する認証情報は、前記保存手段が保存した認証情報であることを特徴とする請求項１乃至４のいずれか１項に記載の情報処理装置。
【請求項６】
原稿上の画像を読み取る読取手段と、
シートに画像を印刷する印刷手段と、
を更に備えることを特徴とする請求項１乃至５のいずれか１項に記載の情報処理装置。
【請求項７】
Ｗｅｂサーバと、当該Ｗｅｂサーバから提供される画面情報を受信し、当該画面情報に基づいて認証情報の入力画面を表示可能なＷｅｂブラウザを備えた情報処理装置とを含む情報処理システムであって、
前記Ｗｅｂサーバは、
第２のスクリプトを含む画面情報、及び、当該第２のスクリプトを含まない画面情報を前記情報処理装置に提供する提供手段を備え、
前記情報処理装置は、
スクリプトを実行する実行手段と、
外部装置に記憶されている認証情報を取得するための第１のスクリプトを保持する保持手段と、
前記保持手段により保持された第１のスクリプトを前記実行手段に実行させる制御手段と、
前記受信した画面情報に前記第２のスクリプトが含まれる場合に当該第２のスクリプトを前記実行手段に実行させ、当該第２のスクリプトの実行結果として前記制御手段に対する通知を行う通知手段と、
前記通知手段による通知を受けた前記制御手段が前記第１のスクリプトを前記実行手段に実行させた結果として前記認証情報を取得する取得手段と、
前記取得手段によって取得された認証情報をセットした状態で、前記入力画面を表示する表示手段と、
を備えることを特徴とする情報処理システム。
【請求項８】
Ｗｅｂサーバから提供される画面情報を受信し、当該画面情報に基づいて認証情報の入力画面を表示可能なＷｅｂブラウザを備えた情報処理装置の制御方法であって、
スクリプトを実行する実行工程と、
外部装置に記憶されている認証情報を取得するための第１のスクリプトを保持する保持工程と、
前記受信した画面情報に第２のスクリプトが含まれる場合に前記第１のスクリプトを前記実行工程で実行させ、当該第１のスクリプトの実行結果として前記認証情報を取得する取得工程と、
前記取得工程で取得された認証情報をセットした状態で、前記入力画面を表示する表示工程と、
を備えることを特徴とする情報処理装置の制御方法。
【請求項９】
コンピュータを請求項１乃至６のいずれか１項に記載の情報処理装置の各手段として機能させるためのプログラム。
【手続補正２】
【補正対象書類名】明細書
【補正対象項目名】０００１
【補正方法】変更
【補正の内容】
【０００１】
本発明は、Ｗｅｂサーバから提供される画面情報を受信し、当該画面情報に基づいて認証情報の入力画面を表示可能なＷｅｂブラウザを備えた情報処理装置、その制御方法、プログラム、及び当該情報処理装置を含む情報処理システムに関する。
【手続補正３】
【補正対象書類名】明細書
【補正対象項目名】００１１
【補正方法】変更
【補正の内容】
【００１１】
本発明は、Ｗｅｂサーバから提供される画面情報を受信し、当該画面情報に基づいて認証情報の入力画面を表示可能なＷｅｂブラウザを備えた情報処理装置であって、スクリプトを実行する実行手段と、外部装置に記憶されている認証情報を取得するための第１のスクリプトを保持する保持手段と、前記保持手段により保持された第１のスクリプトを前記実行手段に実行させる制御手段と、前記受信した画面情報に第２のスクリプトが含まれる場合に当該第２のスクリプトを前記実行手段に実行させ、当該第２のスクリプトの実行結果として前記制御手段に対する通知を行う通知手段と、前記通知手段による通知を受けた前記制御手段が前記第１のスクリプトを前記実行手段に実行させた結果として前記認証情報を取得する取得手段と、前記取得手段によって取得された認証情報をセットした状態で、前記入力画面を表示する表示手段と、を備えることを特徴とする。
また、本発明は、Ｗｅｂサーバから提供される画面情報を受信し、当該画面情報に基づいて認証情報の入力画面を表示可能なＷｅｂブラウザを備えた情報処理装置であって、スクリプトを実行する実行手段と、外部装置に記憶されている認証情報を取得するための第１のスクリプトを保持する保持手段と、前記受信した画面情報に第２のスクリプトが含まれる場合に前記第１のスクリプトを前記実行手段に実行させ、当該第１のスクリプトの実行結果として前記認証情報を取得する取得手段と、前記取得手段によって取得された認証情報をセットした状態で、前記入力画面を表示する表示手段と、を備えることを特徴とする。